(57)【要約】【課題】コネクタを配置するためのスペースの省スペース化を図ることができる電子機器を提供する。【解決手段】第１及び第２のコネクタ３１，３２を夫々、筐体１０のコネクタパネル１１ｄを介して外部に露出するように筐体１０に収容する。第１のねじ受け３７を、第２のコネクタ３２側とは反対側の一側に位置し、コネクタパネル１１ｄを介して露出するように、筐体１０に設ける。第２のねじ受け３８を、第１のコネクタ３１側とは反対側の一側に位置し、コネクタパネル１１ｄを介して露出するように、筐体１０に設ける。第３のねじ受け３９を、第１のコネクタ３１と第２のコネクタ３２との間に位置し、コネクタパネル１１ｄを介して露出するように、筐体１０に設ける。【選択図】    図２
2005010943.tif 000002
【特許請求の範囲】
【請求項１】
筐体と、
上記筐体に設けられ、プラグ本体及びこのプラグ本体の両側に設けられた一対の固定具を有する第１のプラグが取り外し可能に接続される第１のコネクタと、
上記筐体に設けられ、プラグ本体及びこのプラグ本体の両側に設けられた一対の固定具を有する第２のプラグが取り外し可能に接続される第２のコネクタと、
上記第１のコネクタの両側のうちの上記第２のコネクタ側とは反対側の一側に位置するように上記筐体に設けられ、上記第１のプラグが有する一対の固定具のうちの一方の固定具を固定する第１の固定具受けと、
上記第２のコネクタの両側のうちの上記第１のコネクタ側とは反対側の一側に位置するように上記筐体に設けられ、上記第２のプラグが有する一対の固定具のうちの一方の固定具を固定する第２の固定具受けと、
上記第１のコネクタと上記第２のコネクタとの間に位置するように上記筐体に設けられ、上記第１のプラグが有する一対の固定具のうちの他方の固定具又は上記第２のプラグが有する一対の固定具のうちの他方の固定具のいずれかを固定可能な第３の固定具受けと、を具備していることを特徴とする電子機器。
【請求項２】
外壁を有する筐体と、
上記外壁を介して外部に露出するように上記筐体に収容され、プラグ本体及びこのプラグ本体の両側に設けられた一対のねじを有する第１のプラグが取り外し可能に接続される第１のコネクタと、
上記外壁を介して外部に露出するように上記筐体に収容され、プラグ本体及びこのプラグ本体の両側に設けられた一対のねじを有する第２のプラグが取り外し可能に接続される第２のコネクタと、
上記第１のコネクタの両側のうちの上記第２のコネクタ側とは反対側の一側に位置するように上記外壁を介して露出され、上記第１のプラグが有する一対のねじのうちの一方のねじと螺合する第１のねじ受けと、
上記第２のコネクタの両側のうちの上記第１のコネクタ側とは反対側の一側に位置するように上記外壁を介して露出され、上記第２のプラグが有する一対のねじのうちの一方のねじと螺合する第２のねじ受けと、
上記第１のコネクタと上記第２のコネクタとの間に位置するように上記外壁を介して露出され、上記第１のプラグが有する一対のねじのうちの他方のねじまたは上記第２のプラグが有する一対のねじのうちの他方のねじのいずれかと螺合可能な第３のねじ受けと、を具備していることを特徴とする電子機器。
【請求項３】
コネクタパネルを有する筐体と、
上記コネクタパネルに実装され、プラグ本体及びこのプラグ本体の両側に設けられた一対の係合片を有する第１のプラグが取り外し可能に接続される第１のコネクタと、
上記コネクタパネルに実装され、プラグ本体及びこのプラグ本体の両側に設けられた一対の係合片を有する第２のプラグが取り外し可能に接続される第２のコネクタと、
上記第１のコネクタの両側のうちの上記第２のコネクタ側とは反対側の一側に位置するように上記コネクタパネルに設けられ、上記第１のプラグが有する一対の係合片のうちの一方の係合片と係合する第１の係合部と、
上記第２のコネクタの両側のうちの上記第１のコネクタ側とは反対側の一側に位置するように上記コネクタパネルに設けられ、上記第２のプラグが有する一対の係合片のうちの一方の係合片と係合する第２の係合部と、
上記第１のコネクタと上記第２のコネクタとの間に位置するように上記コネクタパネルに設けられ、上記第１のプラグが有する一対の係合片のうちの他方の係合片または上記第２のプラグが有する一対の係合片のうちの他方の係合片のいずれかと係合可能な第３の係合部と、を具備していることを特徴とする電子機器。
【請求項４】
上記第３の固定具受けの中心と上記第１のコネクタの中心との間の距離が上記第１の固定具受けの中心と上記第１のコネクタの中心との間の距離と等しく、かつ、上記第３の固定具受けの中心と上記第２のコネクタの中心との間の距離が上記第２の固定具受けの中心と上記第２のコネクタの中心との間の距離と等しくなるように、上記第１、第２、及び第３の固定具受けの位置が設定されていることを特徴とする請求項１に記載の電子機器。
【請求項５】
上記第１のコネクタ及び第２のコネクタは夫々、画像信号を出力するコネクタであることを特徴とする請求項１ないし３のいずれか１項に記載の電子機器。
【請求項６】
上記第１のコネクタと上記第２のコネクタとのうちの一方がアナログ信号を出力するコネクタであり、他方がデジタル信号を出力するコネクタであることを特徴とする請求項１ないし３のいずれか１項に記載の電子機器。
【請求項７】
上記第１のコネクタと上記第２のコネクタとがユニット化されていることを特徴とする請求項１ないし３のいずれか１項に記載の電子機器。
【発明の詳細な説明】
【０００１】
【発明の属する技術分野】
本発明は、ポータブルコンピュータのような電子機器に係り、特にその機器本体に外部機器を接続するための構造に関する。
【０００２】
【従来の技術】
ノート型と称されるポータブルコンピュータは、キーボードを有する機器本体と、この機器本体に支持された液晶ディスプレイユニットとを備えている。機器本体は、偏平な箱状の筐体を有している。筐体の周面には、同じ機能でありながら形式の異なる接続部を有する複数の外部機器が接続されるように、複数のコネクタが並んで配置されている。
【０００３】
このようなポータブルコンピュータとしては、筐体に、コネクタを覆うとともに、これらコネクタのうちの一方を選択的に露出させるコネクタカバーが設けられたものが知られている（例えば、特許文献１参照。）。
【０００４】
【特許文献１】
特開平７−２８５５９号公報（段落００２１〜段落００４０、図２）
【０００５】
【発明が解決しようとする課題】
ところで、プラグには、プラグ本体をコネクタに接続させるとともに、このプラグ本体を筐体にねじ止めして使用するものがある。このようなプラグは、プラグ本体とこのプラグ本体の両側に設けられた一対のねじとが１つのケーシングに収容されてなる。
【０００６】
このようなプラグを用いる場合、筐体には、インターフェイスの両端にねじ受けを設けておく必要がある。したがって、互いに隣り合うコネクタの間には、一方のコネクタに帰属するねじ受けと、他方のコネクタに帰属するねじ受けとが並んで配置されることとなる。そして、互いに隣り合うコネクタは、夫々対応するプラグが同時に接続された状態において、これらプラグのケーシング同士が干渉しない程度の余裕を持たせて配置される。
【０００７】
しかしながら、ポータブルコンピュータでは、同じ機能でありながら形式の異なる接続部を有する複数の外部機器が接続されるように用意された互いに隣り合うコネクタ等のように、これらを同時には使用しないという場合がある。このような場合、これらのコネクタは、上述のように、夫々対応するプラグを同時に接続させることが可能な程余裕を持たせて配置する必要はない。
【０００８】
ポータブルコンピュータでは、さらなる小型化・高機能化が求められており、筐体に収容される各種部品は高密度に配置されるのが望ましい。したがって、互いに隣り合っており、かつ、同時には使用しないようなコネクタ同士のような場合には、これらのコネクタを配置するためのスペースを省スペース化することが求められている。
【０００９】
本発明は、このような事情にもとづいてなされたもので、コネクタを配置するためのスペースの省スペース化を図ることができる電子機器の提供を目的とする。
【００１０】
【課題を解決するための手段】
本発明の１つの形態に係る電子機器は、筐体と、上記筐体に設けられ、プラグ本体及びこのプラグ本体の両側に設けられた一対の固定具を有する第１のプラグが取り外し可能に接続される第１のコネクタと、上記筐体に設けられ、プラグ本体及びこのプラグ本体の両側に設けられた一対の固定具を有する第２のプラグが取り外し可能に接続される第２のコネクタと、上記第１のコネクタの両側のうちの上記第２のコネクタ側とは反対側の一側に位置するように上記筐体に設けられ、上記第１のプラグが有する一対の固定具のうちの一方の固定具を固定する第１の固定具受けと、上記第２のコネクタの両側のうちの上記第１のコネクタ側とは反対側の一側に位置するように上記筐体に設けられ、上記第２のプラグが有する一対の固定具のうちの一方の固定具を固定する第２の固定具受けと、上記第１のコネクタと上記第２のコネクタとの間に位置するように上記筐体に設けられ、上記第１のプラグが有する一対の固定具のうちの他方の固定具又は上記第２のプラグが有する一対の固定具のうちの他方の固定具のいずれかを固定可能な第３の固定具受けと、を具備している。
【００１１】
この発明によれば、第１のコネクタに第１のプラグを接続させる場合には、第１の固定具受けと第３の固定具受けを用いて第１のプラグを筐体に固定することができる。一方、第２のコネクタに第２のプラグを接続させる場合には、第２の固定具受けと第３の固定具受けを用いて第２のプラグを筐体に固定することができる。
【００１２】
【発明の実施の形態】
以下、本発明の一実施形態を、電子機器としてのポータブルコンピュータに適用した図１〜図５を参照して説明する。ポータブルコンピュータ１は、機器本体２と、この機器本体２に支持された液晶ディスプレイユニット３とを備えている。
【００１３】
機器本体２は、例えば机の天板のような設置面（図示せず）に置かれる筐体１０を有している。筐体１０は、前壁１１ａ、左右の側壁１１ｂ，１１ｃ、後壁を兼ねるコネクタパネル１１ｄ、上壁１１ｅ、及び底壁１１ｆとからなる外壁を有して、偏平な箱状に形成されている。
【００１４】
上壁１１ｅは、パームレスト１２とキーボード取付け部１３とを有している。パームレスト１２は、筐体１０の前半部において、この筐体１０の幅方向に沿って延びている。キーボード取付け部１３は、パームレスト１２の後方に位置している。このキーボード取付け部１３には、キーボード１４が取付けられている。
【００１５】
上壁１１ｅの後端部には、上向きに張り出す細長凸部１５が形成されている。この細長凸部１５はキーボード１４の後方において筐体１０の全幅にわたって延びている。この細長凸部１５の後端縁は、コネクタパネル１１ｄの上端縁に連続している。また、この細長凸部１５は、一対のディスプレイ支持部１６ａ，１６ｂを有している。これらディスプレイ支持部１６ａ，１６ｂは、細長凸部１５の前方、上方、後方に向けて開放する窪みにて構成されている。これらディスプレイ支持部１６ａ，１６ｂは、細長凸部１５の長手方向に離間して配置されている。
【００１６】
液晶ディスプレイユニット３は、ディスプレイハウジング２０と、このディスプレイハウジング２０に収容された液晶パネル２１とを備えている。ディスプレイハウジング２０の前壁には、表示用の開口部２２が設けられている。この開口部２２は、上記前壁の大部分にわたる大きさを有している。液晶パネル２１の表示画面は、この開口部２２を通じてディスプレイハウジング２０の外方に露出している。
【００１７】
ディスプレイハウジング２０は、その一端部に一対の脚部２３ａ，２３ｂを有している。これら脚部２３ａ，２３ｂは、ディスプレイハウジング２０の幅方向に離間して配置されており、夫々筐体１０のディスプレイ支持部１６ａ，１６ｂに導かれている。そして、これら脚部２３ａ，２３ｂは、筐体１０の後端部に夫々ヒンジ金具（図示せず）を介して回動可能に支持されている。
【００１８】
そのため、液晶ディスプレイユニット３は、パームレスト１２やキーボード１４を上方から覆うように倒される閉じ位置と、パームレスト１２やキーボード１４を露出させるように起立する開き位置とにわたって回動可能となっている。なお、図１では、ポータブルコンピュータ１を開き位置で示しているおり、図２では、ポータブルコンピュータを閉じ位置で示している。
【００１９】
筐体１０の内部には、プリント配線板（図示せず）が収容されている。このプリント配線板は、キーボード１４の下方に位置するとともに、筐体１０の底壁１１ｆにねじ止めされている。
【００２０】
図２〜図５に示すように、第１のコネクタ３１及び第２のコネクタ３２は、上記筐体１０に設けられている。本実施形態では、第１のコネクタ３１及び第２のコネクタ３２は、互いに隣接するようにコネクタパネル１１ｄに実装されている。また、本実施形態では、第１のコネクタ３１は、図２〜図５において第２のコネクタの左側、第２のコネクタは、図２〜図５において第１のコネクタの右側に位置している。さらに、本実施形態では、第１のコネクタ３１及び第２のコネクタ３２を夫々メス型としている。第１のコネクタ３１及び第２のコネクタ３２は、プリント配線板と電気的に接続されている。
【００２１】
コネクタパネル１１ｄには、第１のコネクタ３１と向かい合う位置に、第１のコネクタ３１を筐体１０の外部に露出させる第１の開口部３５が設けられている。また、コネクタパネル１１ｄには、第２のコネクタ３２と向かい合う位置に、第２のコネクタ３２を筐体１０の外部に露出させる第２の開口部３６が設けられている。コネクタパネル１１ｄに実装された第１のコネクタ３１及び第２のコネクタ３２は、このコネクタパネル１１ｄ（コネクタパネル１１ｄが有する第１の開口部３５及び第２の開口部３６）を介して、筐体１０の外部に露出するように上記筐体１０に収容されている。
【００２２】
これらコネクタ３１，３２には、例えば、同様の機能でありながら、互いに形式の異なる接続部を有する外部機器が接続される。そのため、このポータブルコンピュータ１では、第１のコネクタ３１と第２のコネクタ３２とを同時には使用しないことを前提としている。
【００２３】
本実施形態では、第１のコネクタ３１及び第２のコネクタ３２として夫々、例えば、画像信号を出力するコネクタを用いている。また、第１のコネクタ３１を、アナログ信号を出力するコネクタとし、第２のコネクタ３２を、デジタル信号を出力するコネクタとしている。上述のような第１のコネクタ３１としては、ＲＧＢコネクタを用いることができる。また、上述のような第２のコネクタ３２としては、ＤＶＩコネクタを用いることができる。なお、第１のコネクタ３１として、デジタル信号を出力するコネクタ（例えばＤＶＩコネクタ）を用いるとともに、第２のコネクタ３２として、アナログ信号を出力するコネクタ（例えばＲＧＢコネクタ）を用いてもよい。さらに、本実施形態では、第１のコネクタ３１及び第２のコネクタ３２をユニット化させている。
【００２４】
第１のコネクタ３１には、第１のケーブル３３が有するオス型の第１のプラグ３３ａ（図３及び図４参照）を取り外し可能に接続させることができる。第２のコネクタ３２には、第２のケーブル３４が有するオス型の第２のプラグ３４ａ（図５参照）を取り外し可能に接続させることができる。なお、図１では、第１のコネクタ３１に第１のケーブル３３が有する第１のプラグ３３ａを接続させた状態で示している。本実施形態では、第１のケーブル３３として、オス型のＲＧＢプラグを有するＲＧＢケーブルを用いている。また、第２のケーブル３４として、オス型のＤＶＩプラグを有するＤＶＩケーブルを用いている。
【００２５】
第１のプラグ３３ａは、プラグ本体４０、一対の固定具としての一対のねじ４１ａ，４１ｂ、及びケーシング４２等を有している（図３及び図４参照）。同様に、第２のプラグ３４ａは、プラグ本体４３、一対の固定具としての一対のねじ４４ａ，４４ｂ、及びケーシング４５等を有している（図５参照）。つまり、これらのプラグ３３ａ，３４ａは夫々、対応するコネクタ３１，３２に接続させる際に、これらのプラグ３３ａ，３４ａを筐体１０にねじ止めして使用する。したがって、図２〜図５に示すように、筐体１０のコネクタパネル１１ｄには、固定具受けとしてのねじ受け３７〜３９を設ける必要がある。
【００２６】
このポータブルコンピュータ１は、第１のコネクタ３１に第１のプラグ３３ａを接続させる場合には、第１のねじ受け３７と第３のねじ受け３９とを用いて上記第１のプラグ３３ａを筐体１０にねじ止めするようになっている。一方、第２のコネクタ３２に第２のプラグ３４ａを接続させる場合には、第２のねじ受け３８と第３のねじ受け３９とを用いて第２のプラグ３４ａを筐体１０にねじ止めするようになっている。
【００２７】
第１のねじ受け３７は、第１のコネクタ３１の両側のうちの第２のコネクタ３２側とは反対側の一側（図２〜図５において左側）に位置するように筐体１０のコネクタパネル１１ｄに設けられている。本実施形態では、第１のねじ受け３７は、コネクタパネル１１ｄを介して外部に露出されている。この第１のねじ受け３７は、第１のプラグ３３ａを第１のコネクタ３１接続させる際に、一対のねじ４１ａ，４１ｂのうちの第２のコネクタ３２側とは反対側となる一方（図２〜図５において左側）のねじ４１ａが螺合する位置に設けられている。
【００２８】
第２のねじ受け３８は、第２のコネクタ３２の両側のうちの第１のコネクタ３１側とは反対側の一側（図２〜図５において右側）に位置するように筐体１０のコネクタパネル１１ｄに設けられている。本実施形態では、第２のねじ受け３８は、コネクタパネル１１ｄを介して外部に露出されている。この第２のねじ受け３８は、第２のプラグ３４ａを第２のコネクタ３２接続させる際に、一対のねじ４４ａ，４４ｂのうちの第１のコネクタ３１側とは反対側となる一方（図２〜図５において右側）のねじ４４ａが螺合する位置に設けられている。
【００２９】
第３のねじ受け３９は、第１のコネクタ３１と第２のコネクタ３２との間に位置するように筐体１０のコネクタパネル１１ｄに設けられている。本実施形態では、第３のねじ受け３９は、コネクタパネル１１ｄを介して外部に露出されている。第３のねじ受け３９は、第１のプラグ３３ａを第１のコネクタ３１接続させる際に、一対のねじ４１ａ，４１ｂのうちの第２のコネクタ３１側となる他方（図２〜図５において右側）のねじ４１ｂが螺合する位置であって、かつ、第２のプラグ３４ａを第２のコネクタ３２接続させる際に、一対のねじ４４ａ，４４ｂのうちの第１のコネクタ３１側となる他方（図２〜図５において左側）のねじ４４ｂが螺合する位置に設けられている。これらねじ受け３７〜３９は、筐体１０の外面から突出している。
【００３０】
本実施形態では、図３〜図５に示すように、プラグ３３ａ，３４ａは、その外形が左右対称（長手方向に対称）に形成されている。このような場合、第１，第２，第３のねじ受け３７〜３９の位置は、図２に示すように、第３のねじ受け３９の中心と第１のコネクタ３１の中心との間の距離Ｌ１が第１のねじ受け３７の中心と第１のコネクタ３１の中心との間の距離Ｌ２と等しく、かつ、第３のねじ受け３９の中心と第２のコネクタ３２の中心との間の距離Ｌ３が第２のねじ受け３８の中心と第２のコネクタ３２の中心との間の距離Ｌ４と等しくなるように設定すればよい。
【００３１】
このポータブルコンピュータ１は、アナログの画像信号を受信して画像を表示する外部機器、又は、デジタルの画像信号を受信して画像を表示する外部機器のいずれか一方を拡張用機器として接続することができるようになっている。
【００３２】
アナログの画像信号を受信して画像を表示する外部機器を使用する場合には、図３及び図４に示すように、第１のコネクタ３１に、第１のケーブル３３を介して、画像を表示するアナログ式の外部機器（図示せず）を接続する。この際、第１のねじ受け３７と第３のねじ受け３９を用いて第１のプラグ３３ａを筐体１０にねじ止めする。これにより、第１のプラグ３３ａが筐体１０に固定される。
【００３３】
一方、デジタルの画像信号を受信して画像を表示する外部機器を使用する場合には、図５に示すように、第２のコネクタ３２に、第２のケーブル３４を介して、画像を表示するデジタル式の外部機器（図示せず）を接続する。この際、第２のねじ受け３８と第３のねじ受け３９を用いて第２のプラグ３４ａを筐体１０にねじ止めする。これにより、第２のプラグ３４ａが筐体１０に固定される。
【００３４】
以上のように、この実施形態のポータブルコンピュータ１によれば、第１のプラグ３３ａが有する一対のねじ４１ａ，４１ｂのうちの一方のねじ４１ａを固定する（螺合させる）第１の固定具受けとしての第１のねじ受け３７と、第２のプラグ３４ａが有する一対のねじ４４ａ，４４ｂのうちの一方のねじ４４ａを固定する（螺合させる）第２の固定具受けとしての第２のねじ受け３８と、第１のプラグ３３ａが有する一対のねじ４１ａ，４１ｂのうちの他方のねじ４４ｂ又は第２のプラグ３４ａが有する一対のねじ４４ａ，４４ｂのうちの他方のねじ４４ｂのいずれかを固定（螺合）可能な第３の固定具受けとしての第３のねじ受け３９と、を具備している。
【００３５】
したがって、第１のコネクタ３１に第１のプラグ３３ａを接続させる場合には、第１のねじ受け３７と第３のねじ受け３９を用いて第１のプラグ３３ａを筐体１０に固定することができる。一方、第２のコネクタ３２に第２のプラグ３４ａを接続させる場合には、第２のねじ受け３８と第３のねじ受け３９を用いて第２のプラグ３４ａを筐体１０に固定することができる。
【００３６】
つまり、本実施形態では、これらのコネクタ３１，３２の間に設けるねじ受け３９を１つとし、第１及び第２のプラグ３３ａ，３４ａを固定する際に、このねじ受け３９を共用させている。したがって、第１のコネクタ３１と第２のコネクタ３２との間を従来よりも狭くすることができる。すなわち、第１のコネクタ３１及び第２のコネクタ３２を従来よりも高密度に配置することができるので、コネクタを配置するためのスペースの省スペース化が図れる。
【００３７】
これにより、搭載するコネクタの数を減らすことなくポータブルコンピュータ１の小型化させたり、或いは、ポータブルコンピュータ１を大型化させることなく搭載するコネクタの数を増やしたりすることができる。
【００３８】
しかも、本実施形態では、第１のコネクタ３１及び第２のコネクタ３２をユニット化させている。したがって、これらのコネクタ３１，３２を筐体１０に組み込む際の組立てを容易にすることができる。なお、第１のコネクタ３１と第２のコネクタ３２とは別体であってもよい。このようにすることにより、第１のコネクタ３１及び第２のコネクタ３２として、既存のコネクタをそのまま使用することができる。
【００３９】
本発明では、固定具及び固定具受けはねじ及びねじ受けに限定されない。例えば、プラグには、プリンタケーブル等が有するプラグのように、固定具として係合片が設けられているものがある。このような場合、第１〜第３のねじ受け３７〜３９と置換して、固定具受けとしてクリップ状の第１〜第３の係合部を筐体１０に設ければよい。本実施形態のように、第１のコネクタ３１及び第２のコネクタ３２をコネクタパネル１１ｄの内面に実装する場合には、第１〜第３の係合部は、コネクタパネル１１ｄの外面に設ければよい。
【００４０】
また、本発明では、第１のコネクタ３１及び第２のコネクタ３２は、本実施形態で用いたコネクタに限定されない。第１のコネクタ３１及び第２のコネクタ３２は、画像信号を出力するコネクタだけでなく、種々のコネクタを適用することができる。さらに、本実施形態では、第１のコネクタ３１と第２のコネクタ３２とのうちの一方がアナログ信号を出力するコネクタであり、他方がデジタル信号を出力するコネクタとしているが、本発明では、第１のコネクタ及び第２のコネクタは、夫々がアナログ信号又はデジタル信号を出力するコネクタであってもよい。
【００４１】
本実施形態では、第１のコネクタ３１及び第２のコネクタ３２を、筐体１０の外壁１１の後壁を兼ねるコネクタパネル１１ｄに実装させているが、第１のコネクタ３１及び第２のコネクタ３２は、筐体１０に設ければ、必ずしもコネクタパネル１１ｄに実装させる必要はない。
【００４２】
本発明に係る電子機器は、キーボードやディスプレイユニットを有するポータブルコンピュータに制約されるものではなく、例えばキーボードの代わりにタブレットを用いたペン入力式のコンピュータであっても同様に実施できる。
【００４３】
【発明の効果】
本発明によれば、コネクタを配置するためのスペースの省スペース化を図ることができる電子機器が得られる。
【図面の簡単な説明】
【図１】本発明の一実施形態に係るポータブルコンピュータを示す斜視図。
【図２】図１のポータブルコンピュータを示す背面図。
【図３】図１のポータブルコンピュータ及び第１のコネクタケーブルを夫々一部切り欠いて示す上面図。
【図４】図１のポータブルコンピュータに第１のコネクタケーブルを接続した状態を一部切り欠いて示す上面図。
【図５】図１のポータブルコンピュータに第２のコネクタケーブルを接続した状態を示す上面図。
【符号の説明】
１…電子機器（ポータブルコンピュータ）、  １０…筐体、  １１…外壁、  １１ｄ…コネクタパネル、  ３１…第１のコネクタ、  ３２…第２のコネクタ、３３ａ…第１のプラグ、  ３４ａ…第２のプラグ、  、  ３７…第１の固定具受け（第１のねじ受け）、  ３８…第２の固定具受け（第２のねじ受け）、  ３９…第３の固定具受け（第３のねじ受け）、  ４０…第１のプラグのプラグ本体、  ４１ａ，４１ｂ…第１のプラグの固定具（ねじ）、  ４３…第２のプラグのプラグ本体、  ４４ａ，４４ｂ…第２のプラグの固定具（ねじ）
【図１】
2005010943.tif 000003
【図２】
2005010943.tif 000004
【図３】
2005010943.tif 000005
【図４】
2005010943.tif 000006
【図５】
2005010943.tif 000007